(57)【要約】      （修正有）【課題】防水効果が好適な防水コネクタモジュールおよびその防水カバーを提供する。【解決手段】防水カバーは、コネクタを収納する。防水カバー１０は、絶縁カバー１００、ストッパー３００および密封構造４００を有する。絶縁カバー１００は、長い形状を呈し、両方の端部にそれぞれ相互に対応する前面開口部および後面開口部１０２を形成し、側面に後面開口部１０２に連通する側面開口部１０３を形成している。ストッパー３００は、後面開口部１０２を閉鎖する。密封構造４００は、側面開口部１０３を充填密封する。防水カバー１０は、防水リング５００が電子機器のカバーのコネクタ挿着口の内縁にしっかりと接続することにより、水分が防水コネクタモジュールとコネクタ挿着口の内縁との間の隙間から電子機器内部の空間に浸透するのを防止する。【選択図】図３
0003197503.tif 000002
【実用新案登録請求の範囲】
【請求項１】
コネクタを収納する防水カバーであって、
前記防水カバーは絶縁カバー、ストッパーおよび密封構造を有し、前記絶縁カバーは長い形状を呈し、両方の端部にそれぞれ相互に対応する前面開口部および後面開口部を有し、側面に前記後面開口部に連通する側面開口部を有し、前記ストッパーは前記後面開口部を閉鎖し、前記密封構造は前記側面開口部を密封することを特徴とする防水カバー。
【請求項２】
前記後面開口部は、内縁に溝を有し、前記溝は形状が前記ストッパーの周縁外形に対応し、前記ストッパーは前記溝内に挿着して後面開口部を閉鎖することを特徴とする請求項１に記載の防水カバー。
【請求項３】
前記密封構造は、前記ストッパーの一側辺を密封してなるものであることを特徴とする請求項１に記載の防水カバー。
【請求項４】
前記密封構造は、流動性のゾルが固体化してなるものであることを特徴とする請求項１に記載の防水カバー。
【請求項５】
前記流動性のゾルは、シリコンまたはゴムであることを特徴とする請求項４に記載の防水カバー。
【請求項６】
前記前面開口部は、防水リングを外縁に環設してなることを特徴とする請求項１に記載の防水カバー。
【請求項７】
長い形状を呈し、両方の端部にそれぞれ相互に対応する前面開口部および後面開口部を有し、側面に前記後面開口部に連通する側面開口部を有する絶縁カバー１００と、
前記絶縁カバー内に収納され、前記側面開口部から露出する複数の端子を有するコネクタ２００と、
前記後面開口部を閉鎖するストッパーと、
前記側面開口部を密封し、前記複数の端子に貫通される密封構造と、を含むことを特徴とする防水コネクタモジュール。
【請求項８】
前記後面開口部は、内縁に溝を有し、前記溝は形状がストッパーの周縁外形に対応し、前記ストッパーは前記溝内に挿着して前記後面開口部を閉鎖することを特徴とする請求項７に記載の防水コネクタモジュール。
【請求項９】
前記密封構造は、前記ストッパーの一側辺を密封してなるものであることを特徴とする請求項７に記載の防水コネクタモジュール。
【請求項１０】
前記密封構造は、流動性のゾルが固体化してなるものであることを特徴とする請求項７に記載の防水コネクタモジュール。
【請求項１１】
前記流動性のゾルは、シリコンまたはゴムであることを特徴とする請求項１０に記載の防水コネクタモジュール。
【請求項１２】
前記前面開口部の外縁に環設されている防水リングを、さらに含むことを特徴とする請求項７に記載の防水コネクタモジュール。
【請求項１３】
前記絶縁カバーの側面の凹溝内に嵌合され、延伸している脚の延伸方向が前記複数の端子が前記側面開口部から延伸突出した方向と同じである固定部を、さらに含むことを特徴とする請求項７に記載の防水コネクタモジュール。
【請求項１４】
前記固定部は、嵌合穴を有し、前記絶縁カバーの側面上に嵌合穴に対応する突起が凸設されていることを特徴とする請求項１３に記載の防水コネクタモジュール。
【請求項１５】
前記絶縁カバーは、固定部を嵌合する凹溝を側面に有することを特徴とする請求項１３に記載の防水コネクタモジュール。
【請求項１６】
前記絶縁カバーは、突起を有する前記凹溝を側面に有し、固定部は凹溝内に嵌合され、前記突起に嵌合する嵌合穴を有することを特徴とする請求項１３に記載の防水コネクタモジュール。
【請求項１７】
前記コネクタは、ソケットを延伸する前記絶縁座を有し、前記ソケットは前面開口部に対応するように配置され、複数の端子は前記絶縁座内に埋設され、側面開口部から露出した半田付け端部、およびソケット上に露出した接続端部をそれぞれ有し、前記接続端部は前記ソケットの二面に設けられることを特徴とする請求項７に記載の防水コネクタモジュール。
【考案の詳細な説明】
【技術分野】
【０００１】
本考案は、コネクタに関し、特に、防水コネクタモジュールおよびその防水カバーに関する。
【背景技術】
【０００２】
携帯型電子機器の普及にともない、各種のコネクタが大量に用いられているが、防水効果が期待されているため、異なる形態の防水コネクタが数多く出現している。
【０００３】
防水コネクタの設計コンセプトは、コネクタ本体、またはコネクタと携帯型電子機器との間の隙間を介して水分が電子機器内に滲みこむのを防止することにある。従来の構造は、コネクタの挿着口と電子機器のカバーのコネクタ挿着口との間に防水パッキングを設けることにより、コネクタと携帯型電子機器のカバーの間に水分が滲みこむのを効果的に防止していた。しかし、コネクタ本体は、鉄のカバーを嵌接する絶縁座を含み、端子を電子機器内の基板に半田付けしなければならないのが普通であった。鉄のカバーと絶縁座との間に防水パッキングが挟まれるのが一般的であるが、鉄のカバーと絶縁座との境目が複雑な構造であるため、効果的に防水することが困難であった。そのため、コネクタ全体を覆う方法を採用し、防水効果を得ていた。しかし、コネクタの側面から突出した端子が邪魔になったり、半田付けのために端子を露出させなければならなかったりするため、コネクタ全体の防水構造の実現が困難でありばかりか、組み立ても容易でなかった。
【考案の概要】
【考案が解決しようとする課題】
【０００４】
本考案の目的は、防水効果が好適な防水コネクタモジュールおよびその防水カバーを提供することにある。
【課題を解決するための手段】
【０００５】
上述の目的を達成するため、本考案は、防水コネクタモジュールおよびその防水カバーを提供する。本考案の防水カバーは、コネクタを収納する。防水カバーは絶縁カバー、ストッパーおよび密封構造を有する。絶縁カバーは、長い形状を呈し、両方の端部にそれぞれ相互に対応する前面開口部および後面開口部を形成し、側面に後面開口部に連通する側面開口部を形成している。ストッパーは、後面開口部を閉鎖する。密封構造は、側面開口部を充填密封する。
【考案の効果】
【０００６】
本考案の防水カバーは、防水リングが電子機器のカバーのコネクタ挿着口の内縁にしっかりと接続することにより、水分が防水コネクタモジュールとコネクタ挿着口の内縁との間の隙間から電子機器内部の空間に浸透するのを防止する。また、本考案の防水コネクタモジュールは、密封構造がコネクタと電子機器内部の空間との間を隔絶するため、外部の水分がコネクタから電子機器内部に浸透して基板を破損することを防ぐことができる。
【図面の簡単な説明】
【０００７】
【図１】本考案の第１の実施形態による防水コネクタモジュールを示す分解斜視図である。
【図２】本考案の第１の実施携帯による防水コネクタモジュールを示す斜視図である。
【図３】本考案の第１の実施形態による防水コネクタモジュールに密封構造が充填された状態を示す斜視図である。
【図４】本考案の第１の実施形態による防水コネクタモジュールを示すもう一つの斜視図である。
【図５】本考案の第２の実施形態による防水コネクタモジュールに密封構造が充填された状態を示す斜視図である。
【図６】本考案の第２の実施形態による防水コネクタモジュールおよび回路版を示す斜視図である。
【図７】本考案の第１の実施形態による防水コネクタモジュールを示す断面図である。
【図８】防水コネクタモジュールが電子機器に接続された状態を示す断面図である。
【図９】本考案の第１の実施形態による防水コネクタモジュールおよび回路版を示す斜視図である。
【考案を実施するための形態】
【０００８】
以下、本考案の実施形態を図面に基づいて説明する。
【０００９】
図１〜４を参照する。図１は、本考案の第１の実施形態による防水コネクタモジュールを示す分解斜視図である。図２は、本考案の第１の実施形態による防水コネクタモジュールを示す斜視図である。図３は、本考案の第１の実施形態による防水コネクタモジュールに密封構造が充填された状態を示す斜視図である。図４は、本考案の第１の実施形態による防水コネクタモジュールを示すもう一つの斜視図である。図１〜４に示すように、本実施形態の防水コネクタモジュールは、防水カバー１０、コネクタ２００、防水リング５００および固定部６００を含む。防水カバー１０は、絶縁カバー１００、ストッパー３００および密封構造４００を有する。
【００１０】
絶縁カバー１００は、プラスチック射出成形により加工されるのが好適であり、長い筒状を呈し、四角形の断面を有する。絶縁カバー１００は、両方の端部にそれぞれ前面開口部１０１および後面開口部１０２を形成している。前面開口部１０１および後面開口部１０２は、相互に対応するように設けられている。絶縁カバー１００の一方の側面に、後面開口部１０２に連通する側面開口部１０３が形成されている。後面開口部１０２は、内縁がＵ字型を呈し、その形状がストッパー３００の周縁の外形に対応している。本実施形態において、後面開口部１０２の内縁の一対の側辺上に一対の溝１０４が相対するように設けられている。溝１０４の口縁は、内側に向かってカギ状になっているのが好適である。内部に突起１１１を突設した凹溝１１０が絶縁カバー１００の側面に設けられている。
【００１１】
図１〜６を参照する。図５は、本考案の第２の実施形態による防水コネクタモジュールに密封構造が充填された状態を示す斜視図である。図６は、本考案の第２の実施形態による防水コネクタモジュールおよび回路版を示す斜視図である。図１〜６に示すように、コネクタ２００は、絶縁カバー１００内に収納され、絶縁座２１０、金属カバー２２０および複数の端子２３０を含む。絶縁座２１０は、板状を呈するソケット２１１を延伸形成しているのが好適である。金属カバー２２０は、筒状を呈し、四角形の断面を有する。金属カバー２２０は、一方の端部に絶縁座２１０を嵌合するだけでなく、該端部から一対の脚２２２を延伸している。一対の脚２２２は、側面開口部１０３を延伸突出している。金属カバー２２０のもう一方の端部には、挿着口２２１が形成され、ソケット２１１が収納されている。挿着口２２１は、絶縁カバー１００の前面開口部１０１の内縁に接続し、ソケット２１１を前面開口部１０１に対応するように配置し、挿着口２２１と前面開口部１０１が緊密に接続しているのが好適である。複数の端子２３０は、絶縁座２１０内に埋設され、それぞれ長い金属片を湾曲してなり、両方の端部がそれぞれ半田付け端部２３１および接続端部２３２である。半田付け端部２３１は、絶縁座２１０を貫通して側面開口部１０３から延伸突出している。接続端部２３２は、ソケット２１１内まで延伸しソケット２１１の表面に露出している。脚２２２の延伸方向と、端子２３０の半田付け端部２３１が側面開口部１０３から延伸突出している方向とが同一であることが好適である。本実施形態の半田付け端部２３１の形態および配列は、これに限定されるものではない。例えば、図５および図６のように、一部の半田付け端部２３１の延伸方向が、脚２２２の延伸方向と相互に垂直であってもよい。複数の接続端部２３２は、ソケット２１１の両方の面上に同様に配列されて設けられるが、ＵＳＢ３．１ Ｃ−ｔｙｐｅの規格に合う配列でなければならない。
【００１２】
ストッパー３００は、四角形の板状の絶縁体で、三つの側辺３０１、３０２、３０３が相互に繋がった構成の外形が後面開口部１０２のＵ字型の内縁に対応している。三つの側辺３０１、３０２、３０３のうちの二つの側辺３０１、３０２の外形が、それぞれ溝１０４に対応している。これにより、ストッパー３００は、溝１０４内に挿着して後面開口部１０２を閉鎖することができる。
【００１３】
図３および図７を参照する。図７は、本考案の第１の実施形態による防水コネクタモジュールを示す断面図である。図３および図７に示すように、密封構造４００は、流動性のゾルが固体化してなるものである。流動性のゾルは、シリコンまたはゴムであることが好適であるが、これに限定されるものではない。流動性のゾルは、側面開口部１０３の内縁、およびストッパー３００の残っている一つの側辺３０４に囲まれた空間内に充填されることにより、側面開口部１０３を密封する。また、流動性のゾルは、端子２３０の半田付け端部２３１の根元および脚２２２の根元を覆い、流動性のゾルが固体化して密封構造４００を形成すると端子２３０の半田付け端部２３１および金属カバー２２０の脚２２２はそれぞれ密封構造４００を延伸貫通して側面開口部１０３を突出する。
【００１４】
コネクタ２００は、後面開口部１０２を介して絶縁カバー１００内に配置する。端子２３０を後面開口部１０２を介して側面開口部１０３に配置し、ストッパー３００および密封構造４００で後面開口部１０２および側面開口部１０３を密封すると、絶縁カバー１００を密封することができ、コネクタ２００を絶縁カバー１００内に覆い包むことができる。
【００１５】
図４および図７を参照する。図４および図７に示すように、防水リング５００は、弾性を有し、前面開口部１０１の外縁に環設されている。本実施形態において、防水リング５００は、シリコンまたはゴムからなるが、これに限定されるものではない。
【００１６】
図８を参照する。図８は、防水コネクタモジュールが電子機器に接続された状態を示す断面図である。図８に示すように、本考案の防水コネクタモジュールは、電子機器２０上に配置されるのが一般的である。電子機器２０は、内部に基板２３を設け、カバー２１にコネクタ挿着口２２を設けている。コネクタ２００の挿着口２２１は、コネクタ挿着口２２に対応して配置され、挿着に用いられる。端子２３０の半田付け端部２３１は、それぞれ２３に半田付けされて基板２３に電気的に接続する。
【００１７】
防水リング５００が電子機器２０のカバー２１のコネクタ挿着口２２の内縁にしっかりと接続することにより、水分が防水コネクタモジュールとコネクタ挿着口２２の内縁との間の隙間から電子機器２０内部の空間に浸透するのを防止する。また、本考案の防水コネクタモジュールは、密封構造４００がコネクタ２００と電子機器２０内部の空間との間を隔絶するため、外部の水分がコネクタ２００から電子機器２０内部に浸透して基板２３を破損することを防ぐことができる。
【００１８】
図９を参照する。図９は、防水コネクタモジュールおよび回路版を示す斜視図である。図９に示すように、固定部６００は、長い金属片をＵ字型に湾曲させてなり、絶縁カバー１００の側面の凹溝１１０内に嵌合されている。固定部６００は、凹溝１１０の突起１１１に対応する嵌合穴６２０を設けることにより、絶縁カバー１００に固定するように接続する。固定部６００は、両方の端部からそれぞれ脚６１０を延伸している。脚６１０の延伸方向は、端子２３０の半田付け端部２３１が絶縁カバー１００の側面開口部１０３から延伸突出した方向と同様である。固定部６００も脚６１０は、それぞれ基板２３に半田付けされ、防水カバー１０を基板２３に固定するように接続する。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２０】
１０    防水カバー
２０    電子機器
２１    カバー
２２    コネクタ挿着口
２３    基板
１００  絶縁カバー
１０１  前面開口部
１０２  後面開口部
１０３  側面開口部
１０４  溝
１１０  凹溝
１１１  突起
２００  コネクタ
２１０  絶縁座
２１１  ソケット
２２０  金属カバー
２２１  挿着口
２２２  脚
２３０  端子
２３１  半田付け端部
２３２  接続端部
３００  ストッパー
３０１  側辺
３０２  側辺
３０３  側辺
３０４  側辺
４００  密封構造
５００  防水リング
６００  固定部
６１０  脚
６２０  嵌合穴
【図１】
0003197503.tif 000003
【図２】
0003197503.tif 000004
【図３】
0003197503.tif 000005
【図４】
0003197503.tif 000006
【図５】
0003197503.tif 000007
【図６】
0003197503.tif 000008
【図７】
0003197503.tif 000009
【図８】
0003197503.tif 000010
【図９】
0003197503.tif 000011